(57)【要約】【課題】  陳列ケース以外の防犯設備に依存することなく、独自に防犯機能を装備しており、陳列ケースを破壊して短時間に盗むことは不可能なショーケースを提供する。【解決手段】  透明で割れないケースカバー（１）と、陳列台である（４）と、全体の台にあたる（３）で構成する。ケースカバー（１）の一部にはシリンダー（５）と案内ガイド（６）で動く開閉扉（２）が設けてある。シリンダー（５）には水道水などの流体を給排する。【選択図】  図１
2005329199.tif 000002
【特許請求の範囲】
【請求項１】
陳列ケースの透明部分をガラスの替わりに割れないポリカーボネット材を利用したものであって、ハンマーや石などで割ることによる盗難を防止できることを特徴とするケース。
【請求項２】
請求項１に記載のケースにおいて、ケース側面に開閉部を設けケースの中の物品を出し入れできるように扉を取り付けたものであって、この扉は丁番や取手などの突起を無くして、無理に開けることを防ぐ構造にしたケース。
【請求項３】
請求項１のケースが全体丸ごとで持ち去られることを防ぐためにケースの台座を床にボルトなどで固定や溶接のできる構造のケース。又は埋め込むようにした構造のケース。
【発明の詳細な説明】
【技術分野】
【０００１】  本発明は、ポリカーボネット材を陳列ケースのガラスの替わりに使用してハンマーや石によって割ることができないようにしたものである。また、本発明は大切な物品が盗難に遭わないようにすることを前提としているので、全体を床に固定できるように工夫された形になっている。内部の収納物品を出し入れする扉には突起部分をなくして、無理に開けることができない構造にしたものである。
【背景技術】
【０００２】  貴金属などをはじめとする物品の展示には、透明ガラスで品物が良くみえるようにした陳列ケースが使用されている。また、側面の内の一面には引き違い戸、若しくは開き戸が設けられており内部の物品の出し入れなどができるようにしてある。このようなショーケースではガラスを割ることで、一気に内部に収納してあった物品を奪われてしまう恐れがある。さらに、通常の扉では容易に開けられてしまう。したがって、貴金属などを守るためには煩わしい作業でも金庫に毎日収納したり、高価な防犯設備を設けることを余儀なくされている。そこで、防弾ガラスなどが開発されてきたが、高価であったり、加工しにくかったり、重いために流通していないのが現状である。
【発明の開示】
【発明が解決しようとする課題】
【０００３】  上記従来の陳列ケースは、簡単に割れる欠点をもっており、ケース内の物品を盗難から守るためには網入りガラスを使用するか檻をつくる必要がある。しかしながら、陳列の手段としては好ましくない外観となり、陳列本来の目的である陳列物を引き立てることや販売の目的を達成できない。その上、開閉扉部分は従来から引き違い戸、又は、開き戸であり簡単な施錠方法でしか盗難防止対策を図れないために不完全であると言わざるを得ない。また、ショーケースが複数台必要となると高価なショーケースでは更に利用しにくい。
本発明は、上記に示すような問題点を解決したショーケースを提供しようとするものである。
【課題を解決するための手段】
【０００４】  本発明は、上記目的を達成するために、割れない透明な板としてポリカーボネット板を使用している。開閉扉部には丁番や取手、更には鍵穴もなくして盗難対策を図ったもので構成される。かくして、請求項１に記載の発明は陳列ケースの内部にある物品が自然の光の状態で良く見える材質のものでありながら、ハンマーや石などの硬いものを使っても割ることができない材質であるポリカーボネット板をガラス板の替わりに使用したものである。請求項２に記載の発明は、請求項１に記載の側面の一面、又は、一部を扉にしたものである。この扉は、丁番が突起しておらず、外部から打撃などによる破壊行為ができなくしてある。更に、取手を無くして無理に引っ張るなどの破壊行為ができなくしてある。また、鍵穴もなくしてあり、物を突っ込んで開けることも不可能な構造にしてある。これらの丁番や取手を突起にならないようにするために、これらの部分をシリンダーで移動させられる構造にした扉である。また、鍵に相当する装置としてもこのシリンダーが役目を担っている。更に、シリンダーの作動のためには駆動源として流体が必要であるが、この流体は水道水や圧縮ガス、空気ボンベなどの一般的なものでよい。開閉扉の操作はこれらの流体の流れを操作することで容易にできる。また、流体の接続管は鍵としての機能を持っており接続する管がなければ開閉の操作をすることはできない。請求項３に記載の内容はショーケースの台座部分を床に固定することで全体を倒したり、持ち去ったりできないようにして盗難対策を図ったものである。
【発明の効果】
【０００５】  以上のように、本発明によると、樹脂製のポリカーボネット板をガラスの替わりに使用して、割れることをなくしたために安全であると共に。盗難から守ることも可能となった。また、扉はシリンダーで引き出しのようにスライド移動して開く構造にしてあるので外面には一切の突起部がないために破壊される部分が無く、扉は開けられない。構造がきわめて簡単なうえに駆動源の接続部分のチューブは鍵の機能も備えたものである。したがって、盗難防止の機能を備えながらガラスと同じ透光性能を持ち、しかも、低価格で有効に利用することができる。
【発明を実施するための最良の形態】
【０００６】  最初に、本発明の実施の形態を図により説明する。概略的には、陳列ケースのカバー部である１と、台座にあたる３、および、開閉扉の２と陳列台の４からなっている。【０００７】  陳列ケースのカバー部は透明のポリカーボネット板、あるいは、カラー板を強力な接着や溶接、ボルト固定、または、鋼材の枠の溝部に嵌め込んで固定したフタの形をした部分からなりたっている。【０００８】  カバー部は陳列台の４に内部でボルト固定されており、外部からカバーを開けるには開閉扉の２を開けなければならない構造となっている。同様に陳列台は、あらかじめ床などに固定された台座の３に固定する構造のために外部から開けるには、開閉扉からボルトを外す必要がある。したがって、開閉扉が開かないかぎり本体が外部より侵害されることはない。【０００９】  開閉扉２は扉の開閉に必要な複数の案内ガイド５と開閉駆動装置であるシリンダーの６によって外側に押し出されて内部の物品を出し入れできる構造となっている。つまり、シリンダーが駆動されない限りこのショーケースが開くことはない形になっている。
【図面の簡単な説明】
【００１０】  １      陳列ケースカバー
２      開閉扉
３      台座
４      陳列台
５      シリンダー
６      案内ガイド
【図１】
2005329199.tif 000003
【手続補正書】
【提出日】平成16年8月18日(2004.8.18)
【手続補正２】
【補正対象書類名】明細書
【補正対象項目名】００１０
【補正方法】変更
【補正の内容】
【００１０】
【図１】図１  透明で割れないケースカバー（１）と、陳列台である（４）と、全体の台にあたる（３）で構成する。ケースカバー（１）の一部にはシリンダー（５）と案内ガイド（６）で動く開閉扉（２）が設けてある。シリンダー（５）には水道水などの流体を給拝する。
【手続補正３】
【補正対象書類名】明細書
【補正対象項目名】００１１
【補正方法】追加
【補正の内容】
【００１１】１    陳列ケースカバー
２    開閉扉
３    台座
４    陳列台
５    シリンダー
６    案内ガイド